(57)【要約】      （修正有）【課題】吊り荷用のワイヤまたはスリングその他の係脱が容易で且つ、汎用性の高いものを提供する。【解決手段】軸部１の先端の一方側にＬ字状のＬ鈎部２を形成し、他方側に円弧鈎部３を形成する。そして、Ｌ鈎部２と軸部１との付根にワイヤ保持用の楔状凹部を形成する。また円弧鈎部３の頂部と、Ｌ鈎部２の水平部とを面一に配置し、軸部１は、その直径の異なる２以上のパイプ材を同軸に且つ伸縮自在に収納してなり、各パイプ材の連結部に係脱自在なネジロックを設ける。【選択図】図２
2018002396.tif 000002
【特許請求の範囲】
【請求項１】
細長い軸部（１）の先端の一方側に、Ｌ字状のＬ鈎部（２）を有し、他方側に円弧鈎部（３）が形成され、
そのＬ鈎部（２）は、軸部（１）に直交する水平部（２ａ）と、その水平部（２ａ）から軸部（１）の先端方向へ直交して延びる垂直部（２ｂ）とを有し、
円弧鈎部（３）は、円弧の中心が軸部（１）の手元（４）側に向けられ、
Ｌ鈎部（２）の軸部（１）との付根と、円弧鈎部（３）の軸部（１）との付根の間に、前記手元（４）側に凹陥するワイヤ保持用の楔状凹部（５）が形成された玉掛け手鉤棒。
【請求項２】
請求項１に記載の玉掛け手鉤棒において、
円弧鈎部（３）の頂部と、Ｌ鈎部（２）の水平部（２ａ）とが面一に配置された玉掛け手鉤棒。
【請求項３】
請求項１〜請求項２のいずれかに記載の玉掛け手鉤棒において、
軸部（１）は、その直径の異なる２以上のパイプ材を同軸に且つ伸縮自在に収納してなり、各パイプ材の連結部に係脱自在なネジロック（７）が設けられた玉掛け手鉤棒。
【発明の詳細な説明】
【技術分野】
【０００１】
本発明は、吊り荷のワイヤやスリングの玉掛け作業を安全に実施するための玉掛け手鉤棒に関する。
【背景技術】
【０００２】
下記特許文献１に記載の玉掛け作業用手鉤は、軸部の先端部に斜めの二股鉤部を設け、その間にワイヤを係止して玉掛け作業を行うことが提案されている。
また、特許文献２に記載のカギ棒は、手鉤の先端部の弧状鉤を軸の先端部から両側へ二股状に分岐させたものである。これによりワイヤを手前側に引いたり、手前側から外側に押し込んだりすることができるものである。
さらに、特許文献３に記載の引っかけ棒は、軸部を伸縮自在に形成し、その先端部にフック部を形成したものである。
特許文献４に記載のカギ棒は、軸部の先端に押込み用のＵ字部と、引っ掛け用のＵ字部とを互いに逆向きに設けたものである。
【先行技術文献】
【特許文献】
【０００３】
【特許文献１】実用新案登録第３０４０７７０号公報
【特許文献２】実開平２−１３７３０９号公報
【特許文献３】実用新案登録第３０４３８０６号公報
【特許文献４】実公昭５１−４０２２０号公報
【発明の概要】
【発明が解決しようとする課題】
【０００４】
引用文献１に記載の手鉤は、軸部の先端部に二股鉤部を設け、そこにワイヤを係止するものである。この手鉤は、ワイヤの係止には有効であっても、その着脱作業が面倒である欠点がある。それと共に、一つの手鉤によって複数の各種作業を行うことができず、汎用性に欠ける問題がある。
引用文献２のカギ棒は、軸部の先端をＴ字状に形成すると共に、その中央に凹みを設け、その凹みによってワイヤを押し込むことができるようにしたものである。このカギ棒は、軸部先端に設けた凹みから、ワイヤが容易に外れる虞がある。
【０００５】
特許文献３に記載の引っかけ棒は、ワイヤを引き込むときしか使用できないものである。
次に、引用文献４に記載のかぎ棒は、押し込み用のフックと押し込み用のＵ字状部とを有するものである。この鉤棒は押し込みと、引っ張りの両者の機能を備えるものの、それら二種の作業以外には不向きである欠点がある。
そこで、本発明はワイヤの把持を容易に行うと共に、一旦把持したワイヤがずれ難く且つ、台木直しなどの各種作業を安全で迅速に行い得る玉掛け手鉤棒を提供することを課題とする。
【課題を解決するための手段】
【０００６】
請求項１に記載の本発明は、細長い軸部（１）の先端の一方側に、Ｌ字状のＬ鈎部（２）を有し、他方側に円弧鈎部（３）が形成され、
そのＬ鈎部（２）は、軸部（１）に直交する水平部（２ａ）と、その水平部（２ａ）から軸部（１）の先端方向へ直交して延びる垂直部（２ｂ）とを有し、
円弧鈎部（３）は、円弧の中心が軸部（１）の手元（４）側に向けられ、
Ｌ鈎部（２）の軸部（１）との付根と、円弧鈎部（３）の軸部（１）との付根の間に、前記手元（４）側に凹陥するワイヤ保持用の楔状凹部（５）が形成された玉掛け手鉤棒である。
【０００７】
請求項２に記載の本発明は、請求項１に記載の玉掛け手鉤棒において、
円弧鈎部（３）の頂部と、Ｌ鈎部（２）の水平部（２ａ）とが面一に配置された玉掛け手鉤棒である。
請求項３に記載の本発明は、請求項１〜請求項２のいずれかに記載の玉掛け手鉤棒において、
軸部（１）は、その直径の異なる２以上のパイプ材を同軸に且つ伸縮自在に収納してなり、各パイプ材の連結部に係脱自在なネジロック（７）が設けられた玉掛け手鉤棒である。
【発明の効果】
【０００８】
請求項１に記載の本発明によれば、Ｌ鈎部（２）と軸部（１）との付根と、円弧鈎部（３）と軸部（１）との付根の間に、前記手元（４）側に凹陥するワイヤ保持用の楔状凹部（５）を形成したので、その凹部（５）にワイヤを確実に保持して、ワイヤを荷物を吊るホイスト等のフック状の吊り具（１０）の内部に容易に押し込むことができる。さらには、その吊り具のフック状の開口に抜止め金具（１１）が配置されている場合にも、その金具を回動しつつ、安全にワイヤの端部を吊り具の内部に保持できる。
【０００９】
また、上記構成において、請求項２に記載の如く、円弧鈎部（３）の頂部と、Ｌ鈎部（２）の水平部（２ａ）とを面一に形成した場合には、それらに跨がり、幅広の材料を保持して、移動することができる。
【００１０】
上記構成において、請求項３に記載のように、軸部（１）が、その直径の異なる２以上のパイプ材を同軸に且つ伸縮自在に収納し、各パイプ材の連結部に係脱自在なネジロック（７）を設けた場合には、長さを変化できる汎用性の高い玉掛け手鉤棒となる。
【図面の簡単な説明】
【００１１】
【図１】本発明の玉掛け手鉤棒を示し、（Ａ）はその分解図、（Ｂ）はそれを伸長した状態を示し、（Ｃ）は縮小した状態を示す。
【図２】同手鉤棒により、ワイヤ９の端部を吊り具１０内で整線する一例を示す説明図であって、（Ａ）はワイヤ９ａ〜９ｄを整線する状態を示し、（Ｂ）はワイヤ９ａ〜９ｄを整線した状態を示す。
【図３】同手鉤棒により吊り荷１２を吊るワイヤ９の張力がほぼ均等にかかっているか確認を行う説明図。
【図４】同手鉤棒の横断面図。
【図５】吊り荷１２の下方に設置した台木１４を位置修正し設置する説明図。
【図６】同平面図であって、（Ａ）は台木１４を押し込む状態を示し、（Ｂ）は台木１４を手前に引き戻す状態を示す。
【図７】同手鉤棒により、吊り荷１２を吊り上げるワイヤ９又はスリングの余長部１６が突起部１５に引っ掛かった場合、それを取り外す手順の一例を示す説明図。
【図８】ホイストの余りチェーンの引掛かりをＬ鈎部２で外す例を示す説明図。
【発明を実施するための形態】
【００１２】
次に、図面に基づいて本発明の実施の形態につき説明する。
図１は本発明の手鉤棒であって、（Ａ）はその分解図、（Ｂ）はそれを伸長した状態を示し、（Ｃ）は縮小した状態を示す。
この手鉤棒は、図１（Ａ）に示す如く、軸部１の先端の一方側にＬ鈎部２が設けられ、他方側に円弧鈎部３が設けられている。この例では、Ｌ鈎部２と円弧鈎部３は同一平面上に配置されている。なお、これを図面の表裏方向へ位置ズレしてもよい。また、この例では円弧鈎部３の頂部とＬ鈎部２の水平部２ａとが面一になるように形成される。この円弧鈎部３は軸部１の手元４側に弧状に形成され、その円弧鈎部３とＬ鈎部２との間にワイヤ保持状の楔状凹部５が形成される。
また、Ｌ鈎部２は軸部１の一側に溶接により水平部２ａが突設され、その先端に直行して垂直部２ｂが溶接により接合されて、それが軸部１の先端方向に突設している。また、軸部１の他側に円弧鈎部３の一端部が溶接により固定されている。
【００１３】
この例では、軸部１はその外周に略整合する内周を有する第１の連結材１ａに収納される。そしてその連結材１ａが第２の連結材１ｂに同軸に収納され、それらの各接続部に係脱自在なネジロック７が配置される。
【００１４】
（作用・使用方法）
次に、このように形成された玉掛け手鉤棒の使用方法につき説明する。
吊り荷に掛けられた長さ及び角度にバラツキがあると、吊上げ時にクレーンフックと吊荷の重心にずれが生じ、吊荷が揺れる・吊荷が傾く・ワイヤが移動する・一部のワイヤに過大な張力がかかる・ワイヤの破断・吊荷の落下などの重大災害を引き起こす恐れがある。それらの事故を防止する為、ワイヤを整線して、その吊り上げ作業開始時に（荷が浮かない状態で）ワイヤが移動しないようにする。このとき、吊り上げを停止して元に戻しワイヤ位置を修正するときに、ワイヤに張力がかかっていると指を挟み怪我をすることがあるため、手鉤棒でワイヤをずらし整線する。
図２は、吊り上げ作業時にワイヤ９をクレーン（図示せず）等のフック１０に掛け、吊り荷１２用のワイヤ９の端部に設けた環状端部を吊り具１０内で移動し整線する手順の一例を示す。
この例では、図２ａに示す通り、ワイヤ９をフック１０に掛け、ワイヤ９ａ、９ｂ、９ｃ、９ｄがすべてかかったら、少し吊り上げて（荷物は浮かない状態）ワイヤ９のかかり具合を確認する場合であり、ワイヤ９ｄがワイヤ９ｃの上に重なり順序が変わっている状態を示す。この状態で吊り上げると、吊り上げた瞬間にワイヤ９ｄがズレ、吊荷が揺れ、更に一部のワイヤ９に過大な張力がかかり安全に吊り上げ作業が行えないため、ワイヤの順番を直す必要があり、手鉤棒を使用して修正する。なお、従来は、手でズレを修正していたので、指の挟まれ等が発生する危険があった。
まず、ワイヤ９ｄの先端の環状端部１７を、Ｌ鈎部２で矢印Ａの方向に係止し、ワイヤ９ｄを矢印Ｂの方向に移動させつつフック１０を引き上げる。
図２ｂは、フック１０を引き上げワイヤ９ａ、９ｂ、９ｃ、９ｄの順で整線が完了し、ワイヤ９に均等に張力がかかった状態であり、安全に吊り上げ作業が行える。
【００１５】
次に、図３は吊り上げられた吊り荷１２（荷物は浮かない状態で）に取り付けられたワイヤ９の張力のかかり具合を確認する作業を示し、その円弧鈎部３によりワイヤ９を図３及び図４に示す如く、抱持し、ワイヤ９にかかっている張力がほぼ均等であるかの確認を行う。なお、図示しない吊り荷１２の回転及び振れ防止をする場合、控えロープ（オーライロープ）を用いるのが原則であるが、小さい吊荷で安全が確保される場合は、手鉤棒を控えロープ（オーライロープ）の替りに用いることがある。
【００１６】
次に、図５及び図６は吊り荷１２の下方に設置した台木１４を位置修正設置する作業を示し、作業時に吊り荷の下に人が入って下敷きになったり、吊り荷に手を挟まれたりしないように手鉤棒を用いるものである。
図６（Ａ）は台木１４をＬ鈎部２と円弧鈎部３とにより押し込み位置修正し、設置する作業を示し、（Ｂ）は台木１４を手前側に引き込み位置修正し、設置する作業を示す。台木１４を押し込むとき、その外周を円弧鈎部３とＬ鈎部２の外側に当接する。そして、台木１４の外周をＬ鈎部２により把持した状態で、確実に図６（Ａ）の如く押し込むことができる。これは、円弧鈎部３とＬ鈎部２の外側が面一になっているだけでなく、軸部のセンターで押していること、およびＬ鈎部が直角になっている為横方向にずれ難くなっていることによるものである。また、図６（Ｂ）の如く、Ｌ鈎部２の水平部２ａと軸部１とのコーナ部に台木１４を把持し、それを柄部１ｃ側に引き戻して、位置の微調整をすることもできる。
【００１７】
次に、図７は吊り荷１２をワイヤ９で吊り上げたとき、その余長部１６又はスリングの余長部１６が、吊り荷１２の突起部１５等に引っ掛かった場合の取り外し方法を示す説明図である。この状態のままで吊り上げ、吊り下げ作業を行うと、機器や周囲の構造物を破損させたりするだけではなく、ワイヤの破損、吊り荷の落下等を招く危険性がある。
この例では、吊り荷１２の外周に突起部１５が突出し、その先端部に余長部１６が絡まった場合を示す。この場合、軸部１の先端のＬ鈎部２に余長部１６を係止して、一旦、余長部１６を柄部１ｃ側に僅かに先方または横方向にずらす。次いで、Ｌ鈎部２を突起部１５の先端部に回し、余長部１６を突起部１５から外す。その外し作業に伴い必要に応じ、楔状凹部５で押込む、または、円弧鈎部で引き込むこともできる。
【００１８】
次に、図８は吊り荷１２をチェーン１８で開口部に吊り下げる作業を示し、余りチェーン１９が吊り荷１２の突起部１５に引っ掛かり、チェーン１８を手鉤棒で、奥側にずらして外す例を示す説明図である。
図８（Ａ）は吊り荷１２を開口部に吊り下げる場合であり、作業者Ａがチェーン１８を操作し吊り下げ作業をしているが、作業者Ａの反対側にある余りチェーン１９が吊り荷１２にある突起部１５に引っ掛かった状態を示す。なお、この状態のままで吊り上げ、吊り下げ作業を行うと突起部１５を破損し、更にチェーン１８の破損や、吊り荷１２の落下等を招く危険性がある。従って、作業者Ｂが手鉤棒で余りチェーン１８を奥側にずらして突起部１５から外している。なお、図８（Ｂ）は突起部１５から余りチェーン１９を外す場合の拡大図であり、作業者Ｂが操作する手鉤棒の楔状凹部５で余りチェーン１９を奥側にずらして、突起部１５であるボルトや接続端子から余りチェーン１９を外している状態である。そして、作業者Ａは余りチェーン１９が突起部１５から外れたことを確認し、吊り荷１２を開口部に吊り下げる作業を行う。
【００１９】
(変形例) 
上記実施例では、Ｌ鈎部２が軸部の一端に、それに直交して水平部を形成し、その先端に直交して垂直部２ｂとで形成されているが、それらの各角部（曲がりのコーナ）を僅かに湾曲させてもよい。
また、上記実施例では、吊り荷１２をワイヤ９で吊り上げ、吊り下げ作業を行っているが、ワイヤに限定されるものではなく、スリング等でも同様に手鉤棒を用いてもよい。
【符号の説明】
【００２０】
１  軸部１
１ａ  連結材
１ｂ  連結材
１ｃ  柄部
２  Ｌ鈎部
２ａ  水平部
２ｂ  垂直部
３  円弧鈎部
４  手元
５  楔状凹部
６  緩衝材
７  ネジロック
８  溶接部
９  ワイヤ
１０  吊り具
１１  抜止め金具
１２  吊り荷
１３  基部
１４  台木
１５  突起部
１６  予長部
１７  環状端部
１８  チェーン
１９  余りチェーン
【図１】
2018002396.tif 000003
【図２】
2018002396.tif 000004
【図３】
2018002396.tif 000005
【図４】
2018002396.tif 000006
【図５】
2018002396.tif 000007
【図６】
2018002396.tif 000008
【図７】
2018002396.tif 000009
【図８】
2018002396.tif 000010